(57)【要約】      （修正有）【課題】ローマ字入力よりも仮名文字を直接入力する感覚を高め、新しい配列を習得する負担を極力小さくし、専用の配列を持ったキーボードも不要な日本語入力方式を提供する。【解決手段】双方向打鍵設定を利用した同時打鍵により、２つのキーを同時に押すことで１つの仮名文字入力を実現する。従来のローマ字連続打鍵と比較して、仮名文字を直接入力する感覚に優れる。同時打鍵するキーの組み合わせはローマ字を基本としており、従来の連続打鍵によるローマ字入力もある程度は併用できるため、習得に当たっての負担が少ない。一般的なＱＷＥＲＴＹ配列キーボード上で使用できる。【選択図】図１
2015128274.tif 000002
【特許請求の範囲】
【請求項１】
双方向打鍵設定を利用した日本語同時打鍵入力方式。
【請求項２】
双方向打鍵設定を、ローマ字を基本として定義した、請求項１の日本語同時打鍵入力方式。
【請求項３】
「Ｖ」キーと「Ａ」「Ｉ」「Ｕ」「Ｅ」「Ｏ」キーを組み合わせ、「あ」行の仮名文字の同時打鍵入力を可能とした、請求項１の日本語同時打鍵入力方式。
【請求項４】
2015128274.tif 000005
などの、請求項３の「あ」行の仮名文字以外の文字も、「Ｖ」キーと組み合わせることで同時打鍵入力可能とした、請求項１の日本語同時打鍵入力方式。
【請求項５】
ある一文字を入力する同時打鍵設定を、一種類ではなく、複数種類設定可能とした、請求項１の日本語同時打鍵入力方式。
【請求項６】
促音、拗音を、ホームポジション付近の隣り合ったキー同士の同時打鍵で入力可能とした、請求項１の日本語同時打鍵入力方式。
【請求項７】
右手側の一部の子音キーを使用した同時打鍵を行う際、キー配列左手側の「Ｓ」「Ｄ」「Ｆ」キーをそれぞれ母音キー「Ｉ」「Ｕ」「Ｏ」とみなして同時打鍵の組み合わせに使用する、請求項１の日本語同時打鍵入力方式。
【請求項８】
左手側の一部の子音キーを使用した同時打鍵を行う際、キー配列右手側の「Ｊ」キーを母音キー「Ａ」や「Ｅ」とみなして同時打鍵の組み合わせに使用する、請求項１の日本語同時打鍵入力方式。
【請求項９】
仮名文字以外の文字、記号、連続した文字、連続した記号、漢字も同時打鍵で入力可能とした、請求項１の日本語同時打鍵入力方式。
【発明の詳細な説明】
【発明の詳細な説明】
【技術分野】
【０００１】情報機器の日本語入力分野であり、双方向打鍵を設定し、同時打鍵で日本語を入力する方式に関するものである。
【背景技術】
【０００２】日本語入力方式として、ローマ字入力、仮名文字入力、親指シフト入力、無連想式漢字直接入力、その他独自配列による入力方式が存在する。
【発明が解決しようとする課題】
【０００３】ローマ字入力は、ＱＷＥＲＴＹ配列を学んでいれば習得が容易なこともあり、利用者が多い。
しかし、「あ」行以外の仮名文字を入力するには、キーを２〜３回連続打鍵しなければならない。３回連続打鍵の場合などタイプミスを誘発しやすい。他の入力方式と比較して、仮名文字を直接入力する感覚に乏しい。
仮名入力は、仮名文字を直接仮名配列キーから入力できる。しかし、ＱＷＥＲＴＹ配列とは全く別の新しい仮名配列を習得しなければならない。習得に当たっての負担が大きく、そのことが仮名入力の普及を妨げる一因となっている。
親指シフト入力や無連想式漢字直接入力など、その他の日本語入力方式も、新しい配列を習得する負担が大きく、普及を妨げる一因となっている。
独自配列による入力の場合、新しい配列を習得する負担のほかに、専用のキー配列を持ったキーボードが必要な場合がある。その場合、別途コストが発生してしまうことも、普及を妨げる一因となっている。
本発明は、ローマ字入力よりも仮名文字を直接入力する感覚を高め、新しい配列を習得する負担を極力小さくし、専用の配列を持ったキーボードなども不要とすることで、上記の課題を解決しようとするものである。
【課題を解決するための手段】
【０００４】双方向打鍵を設定し、それを利用し同時打鍵を可能とする。人間のキー入力速度と比較すると、コンピュータのＩ／Ｏ処理ははるかに高速であり、キー入力識別の分解能が極めて高い。またキー入力はバッファリングされるため、人間の同時打鍵は、コンピュータでは双方向打鍵として処理できる。具体的には、人間が仮名文字「き」を入力するために「Ｋ」キーと「Ｉ」キーを同時打鍵しても、コンピュータ上では「Ｋ」キーの次に「Ｉ」キーの入力または、「Ｉ」キーの次に「Ｋ」キーが入力されたと分解できる。この同時打鍵を実現するため、コンピュータに双方向打鍵の定義を設定しておく。例えば仮名文字「き」の場合は、「Ｋ」キーの次に「Ｉ」キーの入力または、「Ｉ」キーの次に「Ｋ」キーが入力されても、いずれの場合でもコンピュータ上では「き」に変換するよう定義する。
これにより、人間は２つのキーを同時に押すことで１つの仮名文字入力が実現できる。
同時打鍵するキーの組み合わせはローマ字を基本とし、同時打鍵が困難なキーの組み合わせについては、既にＱＷＥＲＴＹ配列キーボードに存在する「Ｖ」キー等と組み合わせ同時打鍵を設定する。したがって専用のキーボードなど用意せずに、一般的なＱＷＥＲＴＹ配列キーボードで同時打鍵が実現できる。
【発明を実施するための形態】
【０００５】以下、本発明の実施の形態について説明する。
【０００６】例えば、仮名文字「き」（１）を入力するには、「Ｋ」キーと「Ｉ」キーを同時打鍵する。（以降、同時打鍵の組み合わせは単に「Ｋ＋Ｉ」（２）と表記する）。また、同時打鍵のための双方向打鍵設定を行う。すなわち、「Ｋ」キーの次に「Ｉ」キーを入力しても、「Ｉ」キーの次に「Ｋ」キーを入力しても、「か」が入力されるよう定義（３）する。
なお、図１において、同時打鍵のキーの組み合わせをアルファベット大文字、双方向打鍵のためのキー入力定義をアルファベット小文字で表記しているが、便宜上見やすさのためであり、実際は大文字小文字関係なく同一のキーを表している。
【０００７】また、一つの仮名文字を入力するための同時打鍵の組み合わせは、一種類と限定せず、別の組み合わせを許容し、複数設定を可能とする（４）。
【０００８】同時打鍵の組み合わせは、ローマ字を基本としているが、母音である「あ」行の仮名文字はローマ字では１キーによる入力であり、そもそも同時打鍵の組み合わせのキーがない。そのため、図２に示すように「Ｖ」キーと組み合わせることで、同時打鍵による「あ」行の仮名文字入力を可能とする。
すなわち、「Ａ＋Ｖ」で「あ」、「Ｉ＋Ｖ」で「い」、「Ｕ＋Ｖ」で「う」、「Ｅ＋Ｖ」で「え」、「Ｏ＋Ｖ」で「お」を入力する。
【０００９】小書きの仮名文字のうち促音、拗音「っ」「ゃ」「ゅ」「ょ」については、使用頻度が比較的高いため、図３に示す通り、キーボードホームポジション付近の隣り合ったキー同士の同時打鍵で入力する。例えば、「っ」は、「Ｊ＋Ｋ」の同時打鍵（６）で入力する。
また、「ゎ」も、使用頻度は低いが、同様の設定を行う。
【００１０】ローマ字を基本にして同時打鍵を設定すると、同時打鍵すべきキーが、タッチタイピングにおける同一指の受け持ち範囲に存在するために、タッチタイピングでの入力が、極めて困難となる組み合わせが発生する。仮名文字「ざ」「で」「む」「き」などの同時打鍵の組み合わせ（７）がそれに該当する。入力円滑化のため、それらの仮名文字は、「Ｖ」キーと子音側のキー（８）の組み合わせによる同時打鍵でも、入力を可能とする。
例えば、「き」は、ローマ字の定義を元にした「Ｋ＋Ｉ」の他に、「Ｖ」キーと「Ｋ」キーの同時打鍵、すなわち「Ｋ＋Ｖ」で入力可能とする。同様に、「で」は「Ｄ＋Ｖ」、「む」は「Ｍ＋Ｖ」、「ざ」は「Ｚ＋Ｖ」でも入力可能とする。
【００１１】キー配列右手側（１０）には、母音キー「Ｉ」「Ｕ」「Ｏ」と子音キーが混在しているため、「よ」（「Ｙ＋Ｏ」）など、若干同時打鍵しづらい組み合わせが存在する。それを緩和するため、図５に示すとおり、右手の一部子音キー「Ｙ」「Ｐ」「Ｋ」「Ｎ」「Ｍ」を使用した同時打鍵を行う際は、キー配列左手側（９）の「Ｓ」キーを母音キー「Ｉ」とみなし、同様に「Ｄ」を「Ｕ」、「Ｆ」を「Ｏ」とみなした同時打鍵による仮名文字入力も可能とする。
例えば、「よ」は上記「Ｙ＋Ｏ」の他に、「Ｙ＋Ｆ」でも入力可能となる。
【００１２】キー配列左手側（１１）の一部の子音キー「Ｓ」「Ｚ」「Ｗ」を使用した同時打鍵を行う際は、キー配列右手側（１２）の「Ｊ」キーを母音キー「Ａ」とみなした同時打鍵による仮名文字入力も可能とする。
すなわち「さ」は「Ｓ＋Ｊ」、「ざ」は「Ｚ＋Ｊ」、「わ」は「Ｗ＋Ｊ」でも入力可能とする。
また、左手側の子音キー「Ｄ」を使用した同時打鍵を行う際は、キー配列右手側の「Ｊ」キーを母音キー「Ｅ」とみなした同時打鍵による仮名文字入力も可能とする。
すなわち「で」は「Ｄ＋Ｊ」でも入力可能とする。
【００１３】
2015128274.tif 000003
に示すとおり、「Ｖ＋Ｂ」で入力する。
【００１４】仮名文字「ん」については、上記原則のとおり「Ｖ」キーの組み合わせ及び、同時打鍵の複数設定可能を適用し、図８に示すとおり、「Ｎ＋Ｖ」「Ｎ＋Ｋ」「Ｎ＋；」で入力する。
【００１５】小書き仮名文字「ぅ」「ぃ」は、上記原則のとおり隣り合ったキーの同時打鍵を適用し、図９に示すとおり、それぞれ「Ｕ＋Ｉ」「Ｉ＋Ｏ」の組み合わせで入力する。
【００１６】小書き仮名文字「ぉ」は、「Ｏ＋Ｐ」の組み合わせが既に「ぴ」で使用されているため、図９に示すとおり、「Ｏ＋Ｕ」の組み合わせで入力する。
【００１７】一部の各種記号も同時打鍵により入力できる。例えば同時打鍵「Ｍ＋１」で「▲１▼」、「Ｋ＋１」で「（１）」を入力する。
【００１８】一部の漢字も、同時打鍵により入力できる。「Ｖ＋Ｈ」で「様」が入力できる。
【００１９】「Ｖ＋０」で、「０００」と連続した文字が入力できる。
【００２０】その他、同時打鍵の文字の組み合わせは、図１０に示すとおりである。
【発明の効果】
【００２１】同時打鍵により、２つのキーを同時に押すことで１つの仮名文字が入力できるため、従来のローマ字連続打鍵と比較して、仮名文字を直接入力する感覚に優れる。同時打鍵するキーの組み合わせはローマ字を基本としており、双方向打鍵により従来の連続打鍵によるローマ字入力もある程度併用できるため、習得に当たっての負担が小さい。同時打鍵が難しいキー入力は「Ｖ」キーとの同時打鍵により入力するため、専用のキー配列を持ったキーボードを必要とせず、一般的なＱＷＥＲＴＹ配列キーボードを使用できる。
【図面の簡単な説明】
【図１】同時打鍵文字の定義の構造を示したものである。
【図２】Ｖキーと同時打鍵する「あ」行キーを示したキーボードレイアウトである。
【図３】促音、拗音入力の同時打鍵を示したキーボードレイアウトである。
【図４】ローマ字で同時打鍵困難なキーの組み合わせと、「Ｖ」キーとの組み合わせによる同時打鍵を示したキーボードレイアウトである。
【図５】キー配列左手側の「Ｓ」「Ｄ」「Ｆ」キーを、母音キー「Ｉ」「Ｕ」「Ｏ」とみなす同時打鍵の組み合わせを示したキーボードレイアウトである。
【図６】キー配列右手側の「Ｊ」キーを、母音キー「Ａ」とみなす同時打鍵の組み合わせを示したキーボードレイアウトである。
【図７】
2015128274.tif 000004
【図８】「ん」を入力する同時打鍵を示したキーボードレイアウトである。
【図９】小書き仮名文字「ぅ」「ぃ」「ぉ」を入力する同時打鍵の組み合わせを示している。
【図１０】同時打鍵の文字組み合わせ定義一覧を示している。
【符号の説明】１  入力したい仮名文字
２  同時打鍵
３  同時打鍵の定義
４  同時打鍵別の組合せ
５  「Ｖ」キー
６  「Ｊ＋Ｋ」同時打鍵による「っ」入力
７  同時打鍵が困難な組合せ
８  「Ｖ」キーと組み合わせる子音キー
９  キー配列左手側
１０  キー配列右手側
１１  キー配列左手側
１２  キー配列右手側
【図１】
2015128274.tif 000006
【図２】
2015128274.tif 000007
【図３】
2015128274.tif 000008
【図４】
2015128274.tif 000009
【図５】
2015128274.tif 000010
【図６】
2015128274.tif 000011
【図７】
2015128274.tif 000012
【図８】
2015128274.tif 000013
【図９】
2015128274.tif 000014
【図１０】
2015128274.tif 000015